(57)【要約】【課題】定格よりも大きい内径のものを迅速かつ安価に作成することができる更生管並びに管更生工法を提供する【解決手段】周方向に隣接するセグメント１、１間に板状の拡径部材１２０を設けてセグメント１、１を順次周方向に連結することにより拡径した管ユニット１０を構成する。この拡径された管ユニット１０を順次管長方向に連結して既設管内に拡径した更生管を敷設し、既設管と該更生管との隙間に充填材を充填して既設管を更生する。【選択図】図７
2014077261.tif 000002
【特許請求の範囲】
【請求項１】
内周面を構成する内面板と、該内面板の周縁に立設された側板並びに端板とをプラスチックによって一体に形成したセグメントを周方向並びに管長方向に連結して成る、既設管を更生するための更生管であって、
周方向に隣接するセグメント間に板状の拡径部材を設けたことを特徴とする更生管。
【請求項２】
セグメントの端板には、既設管内にセグメントからなる更生管を敷設したとき既設管と更生管の隙間に充填される充填材を通過させるための開口部が形成され、拡径部材にも前記開口部と対応する位置に該充填材を通過させるための開口部が形成されることを特徴とする請求項１に記載の更生管。
【請求項３】
セグメントの端板には周方向の連結用の連結部材を挿通させる挿通孔が形成され、拡径部材にも前記挿通孔と対応する位置に挿通孔が形成されることを特徴とする請求項１又は２に記載の更生管。
【請求項４】
セグメントの端板には凹部及び凸部が形成され、拡径部材にも前記凹部及び凸部と嵌合する凸部と凹部が形成されることを特徴とする請求項１から３のいずれか1項に記載の更生管。
【請求項５】
内周面を構成する内面板と、該内面板の周縁に立設された側板並びに端板とがプラスチックによって一体に形成されてなるセグメントを周方向並びに管長方向に連結して既設管を更生する管更生工法であって、
周方向に隣接するセグメント間に板状の拡径部材を設けてセグメントを順次周方向に連結することにより拡径した管ユニットを構成し、
拡径された管ユニットを順次管長方向に連結して既設管内に更生管を敷設し、
既設管と更生管との隙間に充填材を充填して既設管を更生することを特徴とする管更生工法。
【請求項６】
セグメントの端板には、既設管内にセグメントからなる更生管を敷設したとき既設管と更生管の隙間に充填される充填材を通過させるための開口部が形成され、拡径部材にも前記開口部と対応する位置に該充填材を通過させるための開口部が形成されることを特徴とする請求項５に記載の管更生工法。
【請求項７】
セグメントの端板には周方向の連結用の連結部材を挿通させる挿通孔が形成され、拡径部材にも前記挿通孔と対応する位置に挿通孔が形成されることを特徴とする請求項５又は６に記載の管更生工法。
【請求項８】
セグメントの端板には凹部及び凸部が形成され、拡径部材にも前記凹部及び凸部と嵌合する凸部と凹部が形成されることを特徴とする請求項５から７のいずれか1項に記載の管更生工法。
【発明の詳細な説明】
【技術分野】
【０００１】
本発明は、内周面を構成する内面板と、該内面板の周縁に立設された側板並びに端板とをプラスチックによって一体に形成したセグメントを周方向並びに管長方向に連結して組み立てられる管路施設修復用の更生管並びにこの更生管を用いた管更生工法に関する。
【背景技術】
【０００２】
地中に埋設された下水管等の管路が老朽化した場合、該管路を地中から掘出することなく、その内周面にライニングを施して該管路を補修する管ライニング工法が提案され、既に実用に供されている。
【０００３】
上記管ライニング工法は、例えば管状樹脂吸収材に未硬化の熱硬化性樹脂を含浸せしめて構成される管ライニング材を流体圧によって管路内に反転させながら挿入し、該管ライニング材を流体圧によって管路の内周壁に押圧したまま、管ライニング材を任意の方法によって加熱してこれに含浸された熱硬化性樹脂を硬化させることによって、管路内にプラスチックパイプを形成して管路を補修する工法である。
【０００４】
また、内周面を構成する内面板と、該内面板の周縁に立設された側板並びに端板とをプラスチックによって一体に形成したセグメントを周方向に連結して管ユニットを組み立て、該管ユニットを管長方向に連結して成る更生管を用いて管路を更生する工法も知られており（特許文献１）、大口径の管路に対しては、この管更生工法が使用されている。この工法では、既設管内に更生管を組み立てた後、既設管と更生管の間の空間にグラウトなどの充填材を充填して硬化させ複合管を形成する。
【先行技術文献】
【特許文献】
【０００５】
【特許文献１】特開２００５−２６４６３５号公報
【発明の概要】
【発明が解決しようとする課題】
【０００６】
更生管を現場に設置する際に、既設管の施工誤差に対応したり他の構造物との取り合いのために更生管の管径を定格の寸法より少しだけ大きくしたい場合がある。しかし、特許文献１に記載されているようなプラスチック製のセグメントを組み立てて更生管を構成する工法では、寸法を僅かに変更する場合でも金型を作り直す必要があり、そのため、工期が長くなったり工事費が大きく増大するという問題があった。
【０００７】
そこで、本発明は定格よりも大きい内径のものを迅速かつ安価に作成することができる更生管並びに管更生工法を提供することを目的とする。
【課題を解決するための手段】
【０００８】
本発明（請求項１）は、
内周面を構成する内面板と、該内面板の周縁に立設された側板並びに端板とをプラスチックによって一体に形成したセグメントを周方向並びに管長方向に連結して成る、既設管を更生するための更生管であって、周方向に隣接するセグメント間に板状の拡径部材を設けたことを特徴とする。
【０００９】
また、本発明（請求項５）は、
内周面を構成する内面板と、該内面板の周縁に立設された側板並びに端板とがプラスチックによって一体に形成されてなるセグメントを周方向並びに管長方向に連結して既設管を更生する管更生工法であって、
周方向に隣接するセグメント間に板状の拡径部材を設けてセグメントを順次周方向に連結することにより拡径した管ユニットを構成し、
拡径された管ユニットを順次管長方向に連結して既設管内に更生管を敷設し、
既設管と更生管との隙間に充填材を充填して既設管を更生することを特徴とする。
【発明の効果】
【００１０】
本発明によれば、周方向に隣接するセグメント間に板状の拡径部材を設けてセグメントを周方向に連結するので、定格よりも大きい内径の更生管を迅速かつ安価に作成することができる。
【００１１】
また、セグメントの端板には、既設管内にセグメントからなる更生管を敷設したとき既設管と更生管の隙間に充填される充填材を通過させるための開口部が形成され、拡径部材にも前記開口部と対応する位置に該充填材を通過させるための開口部が形成されるので、該隙間に充填される充填材は、周方向に円滑に流入ないし流出し、充填作業を効率的に行うことができる。
【図面の簡単な説明】
【００１２】
【図１】更生管の組み立てに使用されるセグメントの構造を示した斜視図である。
【図２】（ａ）はセグメントの側板の詳細図、（ｂ）は（ａ）の切断線Ｂ−Ｂにおける断面図、（ｃ）は（ａ）のＡ−Ａ線方向から見たセグメントの端板の詳細図である。
【図３】（ａ）はセグメントの内部板の詳細図、（ｂ）は（ａ）の切断線Ｃ−Ｃにおける断面図である。
【図４】セグメントの他の内部板の詳細図である。
【図５】（ａ）、（ｂ）、（ｃ）はセグメントの周方向への連結構造を示す図である。
【図６】セグメントを周方向に連結して管ユニットを組み立てた状態を示す斜視図である。
【図７】拡径部材を用いてセグメントを周方向に連結して管ユニットを組み立てた状態を示す正面図である。
【図８】管ユニットのセグメントを連結部材を用いて管長方向に連結する状態を示した説明図である。
【図９】（ａ）は拡径部材の正面図、（ｂ）は拡径部材の側面図、（ｃ）は拡径部材の平面図である。
【図１０】管ユニットを組み立て更生管を既設管内に敷設する状態を説明した説明図である。
【図１１】管ユニットを組み立て更生管を既設管内に敷設したときの斜視図である。
【図１２】セグメントを周方向に連結して正方形断面の管ユニットを組み立てた状態を示す正面図である。
【発明を実施するための形態】
【００１３】
以下に本発明を、添付図面に示す実施例に基づいて説明する。本発明は、下水管、上水管、トンネル、あるいは農業用水路などの大口径の既設管を更生あるいは修復するのに適しており、各実施例では、更生管は、管長方向に直交する断面形状が円形及び正方形として説明されるが、矩形などそれら以外の形状の更生管にも本発明を適用できることは勿論であり、更に、前記断面形状が管として閉じた形状でなく、例えば馬蹄形や半円形、凹字形など片側が開いた形状である場合にも管と見なして本発明を適用することができるものである。
【００１４】
この明細書において、管長方向とは図６で管ユニット１０の管の長さ方向に延びる矢印Ｘで示した方向を、径方向とは、管ユニット１０の中心軸に向かう放射状の矢印Ｒで示した方向を、周方向とは管ユニット１０の円の周方向をいう。
【実施例１】
【００１５】
図１には、既設管を更生する更生管の組立単位部材となる更生管用セグメント１（以下、単にセグメントという）の構造が図示されている。セグメント１は、更生管の内周面を構成する内面板１０１と、該内面板１０１の周方向に延びる両側に垂直に立設された側板１０２、１０３と、内面板１０１の管長方向に延びる両端に垂直に立設された端板１０４、１０５とからなるプラスチックでできた一体成形のブロック状の部材である。
【００１６】
セグメント１は、本実施例では、円周を複数等分する所定角度、例えば６等分する６０度の円弧状に湾曲した形状となっている。ただし、セグメントは円弧形ないし扇形に限定されず、既設管の断面形状、あるいはその大きさ、あるいは既設管の補修箇所に応じて、直方体あるいは直角に丸みを付けて折り曲げた形などにすることもできる。
【００１７】
内面板１０１の上面にはセグメント１の機械的強度を補強するために、側板１０２、１０３の内側に、側板と同様な形状の複数、この実施例では４個の内部板１０６、１０７が側板１０２、１０３と平行に等間隔に立設される。セグメント１の強度が十分な場合には、内部板１０６、１０７の一方または両方を省くこともできる。
【００１８】
内面板１０１、側板１０２、１０３、端板１０４、１０５、内部板１０６、１０７は、いずれも透明、半透明あるいは不透明な同じプラスチックでできており、公知の成形技術を用いて一体に成形される。
【００１９】
図２（ａ）は側板１０２、１０３の詳細図、図２（ｂ）は図２（ａ）の切断線Ｂ−Ｂにおける断面図である。以下の説明は、側板１０２について行うが、側板１０３も側板１０２と同様の構造となっている。
【００２０】
側板１０２は、円弧状の薄板部材で、その上部１０２ｄは下部１０２ｅより板厚が薄くなっている。これは、管長方向の隣のセグメントと接続したときに、２枚の側板１０２、１０３の上部に隙間を形成し、ここに外部から入り込む土砂等を誘導、収納するためである。
【００２１】
側板１０２の下部１０２ｅには、セグメント１を管長方向に連結する金具を通すための穴１０２ａが円周上に等間隔で複数個設けられている。側板１０２の穴１０２ａと側板１０３の穴１０３ａは、周方向の位置が一致している。
【００２２】
側板１０２の周方向の両端部の端板１０４、１０５の付近にはセグメント１を周方向に連結する作業に利用するための開口部１０２ｂが１個ずつ設けられている。開口部１０２ｂは偶角部を面取りした長方形形状で、その下端は側板１０２の下端とほぼ一致し、上端は側板１０２の上端からやや下がった位置となっている。セグメントを周方向に接続する際には、開口部１０２ｂを介してボルト・ナットなどの連結部材をセットしたり締め付けたりする（図５（ｃ）も参照）。
【００２３】
また、開口部１０２ｂは、既設管とセグメント更生管の隙間に充填される充填材が、この開口部に流入あるいは流出できるようになっており、充填時には充填材がこの開口部１０２ｂを滑らかに、また速く通過できるようになっている。開口部１０２ｂ、１０３ｂは、端板１０４付近または端板１０５付近の一方だけに設けるようにしてもよい。
【００２４】
側板１０２の上部には、充填材を流入あるいは流出させ、通過させるための切り欠き１０２ｃが設けられている。切り欠き１０２ｃの形状は上端が空いている半円状となっている。切り欠き１０２ｃの周方向の位置は穴１０２ａの周方向の位置からずれた位置になっている。より具体的には、最も端板１０４、１０５よりの穴１０２ａと次の穴１０２ａの間に設けられ、そこから穴１０２ａの２個おきに全部で７個が設けられている。
【００２５】
図２（ｃ）は、図２（ａ）のＡ−Ａ線から見た端板１０５の詳細図である。以下の説明は、端板１０５について行うが端板１０４も端板１０５と同様の構造となっている。
【００２６】
端板１０５は、側板１０２と側板１０３の間に配置される長方形の薄板部材で、内面板１０１の外面からの高さは側板１０２、１０３よりもやや低くなっている。端板１０５において側板１０２と内部板１０６の間、内部板１０６と内部板１０７の間、２個の内部板１０７の間、内部板１０７と内部板１０６の間、及び内部板１０６と側板１０３の間にはセグメント１を周方向に連結するボルトなどの連結部材を通すための円形の挿通孔１０５ａが、それぞれ１個設けられている。
【００２７】
内面板１０１の管長方向の一方の端部（図２（ｃ）では右端）には、凹部１０１ａと凸部１０１ｂが周方向の全長にわたって設けられ、他端にはこれと凹凸が逆になるように凸部１０１ｃと凹部１０１ｄが設けられている。そのため、セグメントを管長方向に連結するとき、管長方向に隣り合ったセグメントの凹部と凸部がかみ合ってガイドあるいは位置決めの役割を果たし、セグメントの管長方向の連結作業が容易になっている。
【００２８】
また、端板１０５の下端部の、側板１０２、１０３の内側、内部板１０６の両側、内部板１０７の両側には、充填材を流入ないし流出させ通過させるための長方形形状の開口部１０５ｄが設けられている。
【００２９】
端板１０５の内部板１０７と連結する位置の外側には、凸部１０５ｃが設けられ、周方向に隣接するセグメントの端板１０４の対応する位置に設けられた凹部１０４ｃとはめ合わせられる（図５（ｂ）も参照）。
【００３０】
図３（ａ）は内部板１０６の詳細図、図３（ｂ）は、図３（ａ）の切断線Ｃ−Ｃにおける断面図である。内部板１０６は、側板１０２、１０３と外形がほぼ同一の薄板部材で、その下部にはセグメント１を管長方向に連結する連結部材を通すための円形の穴１０６ａが等間隔に設けられている。穴１０６ａの周方向の位置は側板１０２の穴１０２ａの周方向の位置と一致している。穴１０６ａは、内部板１０６の板厚の中心付近から外側（側板の側）に向かって拡径している。
【００３１】
また、内部板１０６の上部には、充填材を流入ないし流出させ、通過させるための切り欠き１０６ｂが設けられている。切り欠き１０６ｂの形状は上端が空いている半円状となっている。切り欠き１０６ｂの周方向の位置は穴１０２ａ、１０６ａの周方向の位置とは異なる位置になっている。より具体的には、最も端板１０４、１０５寄りの穴１０６ａより更に端板寄りに設けられ、そこから穴１０６ａの２個おきに全部で８個が設けられている。そのため、切り欠き１０６ｂの周方向の位置は、側板１０２の切り欠き１０２ｃの周方向の位置とは穴１０６ａの周方向の間隔分ずれており、切り欠き１０６ｂと１０２ｃはセグメントを上から見たとき蛇行した配置となっている。これは、側板１０３に設けた充填材通過用の切り欠き１０３ｃと、側板１０３に隣接する内部板１０６に形成された同切り欠き１０６ｂについても当てはまる。
【００３２】
図４は、内部板１０７の詳細図である。内部板１０７は、側板１０２、１０３と外形がほぼ一致する薄板部材で、その下端付近から上端にかけて複数の切り欠き１０７ａが設けられている。切り欠き１０７ａの下部の半円形の部分の周方向の位置が、側板１０２の穴１０２ａおよび内部板１０６の穴１０６ａの周方向の位置と一致している。また、切り欠き１０７ａのうちセグメント１の周方向の中央部分に配置されたものの方向は、内面板１０１に垂直となっていて、その他の切り欠き１０７ａの方向は中央のものと平行になっている。切り欠き１０７ａの向きをこのようにすることによって、セグメントを一体成形するとき、その金型から抜き取るのを容易にしている。
【００３３】
図５（ａ）、（ｂ）、（ｃ）は、セグメント１の周方向の連結方法を説明する図である。２個のセグメント１、１を一方の端板１０５と他方の端板１０４の間に拡径部材１２０を挟んで保持し、側板１０２の開口部１０２ｂからスパナ等の工具や作業者の指を入れてボルト６を挿通孔１０４ａ、１０５ａ、１２０ａ（図９（ａ）も参照）に挿通してナット７を螺合させ、両端板１０４、１０５、後述する拡径部材１２０を締め付けることにより、２個のセグメント１、１は周方向に連結される。端板１０４には、凹部１０４ｃが、端板１０５には凹部１０４ｃに嵌合する凸部１０５ｃが、それぞれ管長方向の内部板１０７の位置に２個ずつ形成されている。この端板１０４の凹部１０４ｃには、拡径部材１２０（図９）の凸部１２０ｃが嵌合し、端板１０５の凸部１０５ｃは拡径部材の凹部１２０ｂに嵌合する。
【００３４】
また、端板１０４の下端部には凹部１０４ｅと凸部１０４ｆが、端板１０５の下部には、凹部１０４ｅと凸部１０４ｆに嵌合する凸部１０５ｆと凹部１０５ｅが管長方向に全長に渡って形成されている。これらの凹部、凸部とかみ合うように拡径部材１２０の下部にも凹部１２０ｅ、１２０ｈと凸部１２０ｆ、１２０ｇが形成されている（図９（ｂ）も参照）。このため、セグメントを周方向に連結するとき両セグメント１を位置決めして密着させる作業が容易になる。また嵌合部に不図示のシール材を塗布しておくことにより、連結部の水密性を高めることができる。このようなボルト止めは、側板１０２とこれと隣接する内部板１０６の間、および、側板１０３とこれと隣接する内部板１０６の間の２箇所で行われる。この２箇所での連結では、連結強度が不十分な場合には、内部板１０６、１０７の間で、セグメントの上方から連結部材を他の挿通孔１０４ａ、１０５ａ、１２０ａにセットし、周方向の連結を強化する。
【００３５】
また、図５（ａ）では、１箇所当たり１組のボルトとナットが用いられているが、大径の既設管に使用されるセグメントで端板１０４、１０５の高さが大きい場合には、１箇所当たり２組以上のボルトとナットでセグメントを周方向に連結してもよい。
【００３６】
このように、セグメントの周方向の連結を側板１０２、１０３に設けた開口部１０２ｂ、１０３ｂを介して行うようにすると、更生管の敷設後に既設管と更生管の隙間に充填材を充填する際には、両セグメントの側板１０２と１０３が密接して各開口部１０２ｂ、１０３ｂが、一つの一体の開口部のようになっているので、充填材は、この一体となった開口部１０２ｂ、１０３ｂを流入ないし流出し、更生管内に向かって下方部に漏れ出すことはない。従って、開口部１０２ｂ、１０３ｂを塞ぐ必要がなく、内部板１０１に開口部を設けた場合に比べて、周方向の連結を簡単化することができる。
【００３７】
セグメント１を順次周方向に一周分連結させると、図６に示すようなリング状の閉じた所定の短い長さの短管体１０（以下、管ユニットという）を組み立てることができる。管ユニット１０は、円管を管長方向Ｘに垂直に所定幅Ｄで輪切りに切断したときに得られる形状となっており、その外径が更生すべき既設管の内径より少し小さな値となっている。セグメント１は、この管ユニット１０を、径方向Ｒに沿った切断面で周方向に複数個に分割（好ましくは等分）したときに得られる部材に相当する。
【００３８】
各セグメント１の間には拡径部材１２０が挟みこまれているためその分管ユニット１０の内径は大きくなる。例えば、拡径部材１２０の厚さを８ｍｍとすると、管ユニット１０の内径は、拡径部材を用いない場合に比べて８×６／π＝１５ｍｍ大きくなる。なお、図６では拡径部材１２０を周方向の連結部のすべてに用いているが、一部だけに用いるようにしてもよい。
【００３９】
なお、図６では、セグメント１の主要な構造部材である内面板１０１、側板１０２、１０３、端板１０４、１０５が図示されていて、内部板１０６、１０７などの補強構造は、煩雑さを避けるために、図示が省略されている。
【００４０】
図７は、セグメントを周方向に連結して管ユニットを組み立てた状態を示す正面図である。セグメント１０の断面形状は、拡径部材１２０の位置で若干折れ曲がった円形状の形状となるが、拡径部材１２０の周方向の長さはセグメント１の周方向の長さに比べて十分小さいため、実用上の支障はない。
【００４１】
このような管ユニット１０の各セグメントは、図８に示したように、連結部材（締め付け部材）１１とナット１２を用いて他の管ユニットのセグメントと連結され管長方向に延ばされる。
【００４２】
ナット１２を一方のセグメント１ａの側板１０２の穴１０２ａを通過させ、最初の、つまり側板１０２から最も近い位置にある内部板１０６に当接させ、ボルト１３をナット１２にねじ込み、ナット１２を内部板１０６に締め付けて内部板１０６に固定する。
【００４３】
ナット１２の管長方向の長さは、側板１０２と内部板１０６との間隔よりやや長く、上述のようにセットしたときにセグメント１ａの側板１０２を外側にはみ出すような長さであり、そのはみ出し量が他のセグメント１ｂの側板１０３の厚さと同等あるいはそれ以上となっているので、他方のセグメント１ｂの側板１０３の穴１０３ａにナット１２を通過させ、両セグメント１ａ、１ｂを突き合わせる。
【００４４】
この状態で、連結部材１１を、セグメント１ｂの側板１０２の穴１０２ａ、内部板１０６の穴１０６ａ、内部板１０７の切り欠き１０７ａに通し、ネジ部１１ｂをセグメント１ａに固定されているナット１２にねじ込む。これにより、連結部材１１とナット１２が連結される。その後、頭部１４のつば１４ａがセグメント１ｂの最左端の内部板１０６に圧接するまで連結部材１１をナット１２にねじ込み、両セグメント１ａ、１ｂを締め付けて固定させる。
【００４５】
ナット１２は一つのセグメントに周方向に複数個固定され、例えば、要求される強度に応じて側板１０２に設けられた穴１０２ａの一つ置き、あるいは複数個置きに固定される。各セグメントは、セグメントにおけるナット位置を、該セグメントと隣接するセグメントのナット位置と周方向にみてずらして管長方向に連結される。例えば、図８に示した例では、中央に位置するセグメント１ａにおけるナット１２の位置は、このセグメントの右側に隣接するセグメント１ｃにおけるナット１２の位置と、周方向にみて側板１０２の穴１０２ａの間隔だけずれている。
【００４６】
このようにして、管ユニットのセグメントを、他の管ユニットのセグメントと管長方向に連結することにより、管ユニットを管長方向に任意の長さに連結することができ、管ユニットないしセグメントからなる更生管を構築することができる。
【００４７】
図９（ａ）は拡径部材１２０の正面図、図９（ｂ）は拡径部材１２０の側面図、図９（ｃ）は拡径部材１２０の平面図である。拡径部材１２０は、セグメント１と同じプラスチックから成り、セグメント１と同様に公知の成形技術により一体に形成される。
【００４８】
拡径部材１２０は、図９（ａ）のｈで示す高さがあり、拡径部材１２０の厚さｂは管ユニット１０の周長に比べて十分小さい値としてある。
【００４９】
拡径部材１２０の上面１２８には、断面形状が長方形の突出部１２２、１２６、１２７、１２３が設けられている。これらの突出部の管長方向の位置はそれぞれ側板１０２、内部板１０６、内部板１０７、側板１０３の管長方向の位置に一致し、厚さもそれぞれ側板１０２、内部板１０６、内部板１０７、側板１０３の厚さと一致している（図８も参照）。
【００５０】
拡径部材１２０の上部には５個の円形の挿通孔１２０ａが、また、下部には１０個の長方形の開口部１２０ｄが設けられている。二つのセグメントの間に拡径部材１２０をセットしたときに、挿通孔１２０ａの位置は、端板１０４、１０５の挿通孔１０４ａ、１０５ａの位置と、開口部１２０ｄの位置は開口部１０４ｄ、１０５ｄの位置とそれぞれ一致している。
【００５１】
拡径部材１２０の上部、管長方向には突出部１２７の位置に、セットしたときに端板１０５と当接する面には２個の凹部１２０ｂが、端板１０４と当接する面には凸部１２０ｃがそれぞれ２個設けられている。また、拡径部材１２０の下部には、セットしたときに端板１０５と当接する面には凹部１２０ｅと凸部１２０ｆが、端板１０４と当接する面には凸部１２０ｇと凹部１２０ｈがそれぞれ設けられている。これらの各凹部、凸部は端板１０４、１０５に設けられた各凹部、凸部と対応する形状となっている（図５も参照）。
【００５２】
このように構成されたセグメント１を用いて既設管を更生する方法を説明する。
【００５３】
まず、図１０に示すように、マンホール２０を介して既設管２１にセグメント１を搬入し、図５、図６に示すように、セグメント１を周方向に順次連結して拡径した管ユニット１０を組み立てる。
【００５４】
続いて、管ユニット１０を、図８に示す方法で、連結部材１１を用いて順次管長方向に連結し、図１０、図１１に示したように、既設管２１内に拡径した更生管４０を敷設する。なお、図１０、図１１においては、連結部材１１などは省略されおり、セグメントが簡略化して図示されている。
【００５５】
あるいは、更生管の径が大きい場合には、搬入されたセグメント１を、実際に設置される位置まで運搬し、そこで、周方向及び管長方向の連結を行うようにしてもよい。この場合、周方向の連結をする際には、セグメントの外側と既設管との隙間が狭く、セグメントの外側からボルト・ナットのセットの取り付けができない場合があり、側板に周方向連結用の開口部を設けることの有用性が特に高い。
【００５６】
続いて、図１１に示したように、更生管４０と既設管２１間の隙間Ｓにグラウト材などの充填材３０を充填し、充填材を固化させる。隙間Ｓの両端部はレジンパテ、モルタル等のシール剤で塞いでおく。充填材３０は、例えば内面板１０１に穴をあけその開口部から注入を行い、更生管の全体に行き渡り管長方向の両端のセグメントの側板から流出し始めるまで行う。側板１０２、１０３に設けたセグメントの周方向連結用の開口部１０２ｂ、１０３ｂには、充填時には充填材３０が管長方向に流入ないし流出するので、充填作業の効率が向上する。
【００５７】
このとき、セグメント１の側板１０２、１０３、内部板１０６にはそれぞれ切り欠き１０２ｃ、１０３ｃ、１０６ｂが設けられているから、隙間Ｓが小さい場合や隙間Ｓ内に障害物がある場合でも充填材はスムーズに管長方向に流れることができる。また、側板１０２あるいは１０３に形成した切り欠き１０２ｃ、１０３ｃとそれに隣接する内部板１０６に形成した切り欠き１０６ｂは、セグメントを上方（外側）から見たとき周方向に蛇行しているので、充填材はジグザグ状に充填され、充填材を均一に充填させることができる。
【００５８】
また、端板１０４、１０５、拡径部材１２０の高さは、図５（ｃ）に示すように、側板１０２、１０３、内部板１０６、１０７の高さより小さくなっていて端板１０４、１０５の上端と既設管２１との間のすきまが大きくなっているから充填材は周方向にもスムーズに流れることができる。
【００５９】
また、端板１０４、１０５、拡径部材１２０の下部に設けられている開口部１０４ｄ、１０５ｄ、１２０ｄは、それぞれ位置が整合していて充填材を円滑に流入あるいは流出させ、通過させると共に、充填材の充填に伴って押し出される既設管２１と内面板１０１との間の空気の通過口としても役立つため、一層充填材がスムーズに流れることができる。
【００６０】
この充填を行うことにより、既設管２１と拡径した更生管４０が充填材３０により堅固に結合され、既設管、充填材並びに更生管からなる複合管を構築することができる。
【実施例２】
【００６１】
次に、本発明を正方形断面の管路に適用した場合について説明する。図１２は、セグメントを周方向に連結して正方形断面の管ユニットを組み立てた状態を示す正面図である。管ユニット２０は、略正方形の断面で各辺を約３等分する位置で切断し、４個のＬ字型のセグメント２と４個の直線状のセグメント３で構成されている。各セグメントの間には拡径部材１３０が挟みこまれていて、各辺の長さが拡径部材１３０を用いない場合に比べて拡径部材１３０の厚さの２倍だけ大きくなっている。この例では、周方向の接続を断面の直線部分で行っているため、断面形状のゆがみが生じることがない。そのため、第１の実施例に比べて拡径部材の厚さの周長に対する比率を大きくすることができる。
【００６２】
セグメント２、セグメント３の構造、材質は第１の実施例のセグメント１と同様であるから説明は省略する。また、拡径部材１３０も図９（ａ）、（ｂ）、（ｃ）に示した拡径部材１２０と同様に、セグメント２、３の端板の形状に対応した形状とする。
【００６３】
管ユニット、セグメントを組み立てて更生管を敷設する方法も第１の実施例と同様である。
【符号の説明】
【００６４】
１、１ａ、１ｂ、１ｃ  セグメント
６  ボルト
７  ナット
１０  管ユニット
１１  連結部材
１２  ナット
１３  ボルト
１４  ナット
１４ａ  つば
２０  マンホール
２１  既設管
３０  充填材
４０  更生管
１０１  内面板
１０２、１０３  側板
１０２ａ、１０３ａ  穴
１０２ｂ、１０３ｂ  開口部
１０２ｃ、１０３ｃ  切り欠き
１０２ｄ、１０３ｄ  上部
１０２ｅ、１０３ｅ  下部
１０４、１０５  端板
１０４ａ、１０５ａ  挿通穴
１０４ｂ  凹部
１０５ｃ  凸部
１０４ｄ、１０５ｄ  開口部
１０４ｅ、１０５ｅ  凹部
１０４ｆ、１０５ｆ  凸部
１０６、１０７  内部板
１０６ａ  穴
１０６ｂ  切り欠き
１０７ａ  切り欠き
１２０  拡径部材
１２０ａ  挿通孔
１２０ｄ  開口部
１２０ｂ、１２０ｅ、１２０ｈ  凹部
１２０ｃ、１２０ｆ、１２０ｇ  凸部
１２２、１２３、１２６、１２７  突出部
１２８  上面
２、３  セグメント
２０  管ユニット
１３０  拡径部材
【図１】
2014077261.tif 000003
【図２】
2014077261.tif 000004
【図３】
2014077261.tif 000005
【図４】
2014077261.tif 000006
【図５】
2014077261.tif 000007
【図６】
2014077261.tif 000008
【図７】
2014077261.tif 000009
【図８】
2014077261.tif 000010
【図９】
2014077261.tif 000011
【図１０】
2014077261.tif 000012
【図１１】
2014077261.tif 000013
【図１２】
2014077261.tif 000014